(57)【要約】【課題】ペットが前脚歩行し易く、疲労しないペット用車椅子を提供することである。【解決手段】パイプ部材で形成した左右の側部フレーム１を、後端側で内向きに対向する後端側パイプ部１ａを、間に介在させた中間パイプ部と相対回転を許容するように嵌め合わせて、前端側が上下方向へ相対揺動可能に連結することにより、肩当て具２が取り付けられた左右の側部フレーム１の前端側を、前脚歩行するペットＡの左右の肩部の上下動に追随させて、ペットＡの肩部を拘束しないようにし、ペットＡが前脚歩行し易く、疲労しないようにした。【選択図】図２
2008035708.tif 000002
【特許請求の範囲】
【請求項１】
四足歩行のペットの両側に前後方向へ向けて配設される左右の側部フレームを有し、その前端側に前記ペットの肩部に装着される肩当て具を取り付け、その後端側に前記ペットの腰部を支持するサドルと、左右の車輪を取り付けたペット用車椅子において、前記左右の側部フレームを、その前端側が上下方向へ相対揺動可能に連結したことを特徴とするペット用車椅子。
【請求項２】
前記左右の側部フレームの前端側を上下方向へ相対揺動可能に連結する手段が、前記左右の側部フレームの後端側に、左右方向へ内向きのパイプ部を対向させて設け、これらの対向させたパイプ部を、パイプ部同士で直接、または、これらのパイプ部の間に介在させた中間パイプ部に、相対回転を許容するように嵌め合わせて連結したものである請求項１に記載のペット用車椅子。
【請求項３】
前記左右の側部フレームを相対揺動可能に連結したパイプ部の連結部に、左右方向への伸縮量調節機構を設けた請求項１または２に記載のペット用車椅子。
【請求項４】
前記左右の側部フレームにパイプ部を設け、前記パイプ部に前後方向への伸縮量調節機構を設けた請求項１乃至３のいずれかに記載のペット用車椅子。
【請求項５】
前記左右の車輪を、上下方向へ延びるパイプ部を有する車輪支持部材を介して前記左右の側部フレームに取り付け、前記パイプ部に上下方向への伸縮量調節機構を設けた請求項１乃至４のいずれかに記載のペット用車椅子。
【請求項６】
前記伸縮量調節機構が、パイプ部同士を軸方向に伸縮可能に嵌め合わせた連結部を設け、その内側に嵌め合わせたパイプ部に、く字形に屈曲した板ばねの一端側に突起部を設けたばね突起部材を組み込んで、その突起部を前記内側のパイプ部に設けた通し孔から突出するようにばねで付勢し、外側に嵌め合わせたパイプ部に、前記ばね突起部材の突起部が係合する複数の係合孔を軸方向に間隔を開けて設け、これらの係合孔の１つに前記突起部を係合させて、前記嵌め合わせたパイプ部同士の伸縮量を調節するものである請求項３乃至５のいずれかに記載のペット用車椅子。
【請求項７】
前記左右の車輪を、前記サドルの前後中心位置よりも前方で取り付けた請求項１乃至６のいずれかに記載のペット用車椅子。
【請求項８】
前記左右の車輪を、上下方向へ延びるパイプ部を有する車輪支持部材を介して前記左右の側部フレームに取り付け、前記上下方向へ延びるパイプ部に、パイプ部同士を相対回転を許容するように嵌め合わせた連結部を設け、前記左右の車輪を水平面内で旋回可能とした請求項１乃至７のいずれかに記載のペット用車椅子。
【発明の詳細な説明】
【技術分野】
【０００１】
本発明は、四足歩行のペットの下半身を支持し、前脚のみで歩行可能とするペット用車椅子に関する。
【背景技術】
【０００２】
四足歩行のペットの事故や疾病等で付随となった下半身を支持し、前脚のみで歩行可能とするペット用車椅子には、ペットの両側に前後方向へ向けて配設される左右の側部フレームを有し、その前端側にペットの肩部に装着される肩当て具を取り付け、その後端側にペットの腰部を支持するサドルと、左右の車輪を取り付けたものがある（例えば、特許文献１参照）。特許文献１に記載されたものでは、左右の側部フレームを、サドルの骨組み部材を介して、固定用ブロックで互いを固定するように連結し、剛性を有する本体フレームの一部としている。
【０００３】
【特許文献１】特開２００５−２２９９４７号公報
【発明の開示】
【発明が解決しようとする課題】
【０００４】
特許文献１に記載されたペット用車椅子は、前端側に肩当て具が取り付けられる左右の側部フレームが、剛性を有する本体フレームの一部として固定されるように連結されているので、前脚歩行するときに上下動するペットの左右の肩部が、肩当て具を介して互いに固定された左右の側部フレームに拘束される。このため、ペットが前脚歩行し難くなるとともに、前脚に余分の負担がかかって疲労し易くなる問題がある。
【０００５】
そこで、本発明の課題は、ペットが前脚歩行し易く、疲労しないペット用車椅子を提供することである。
【課題を解決するための手段】
【０００６】
上記の課題を解決するために、本発明は、四足歩行のペットの両側に前後方向へ向けて配設される左右の側部フレームを有し、その前端側に前記ペットの肩部に装着される肩当て具を取り付け、その後端側に前記ペットの腰部を支持するサドルと、左右の車輪を取り付けたペット用車椅子において、前記左右の側部フレームを、その前端側が上下方向へ相対揺動可能に連結した構成を採用した。
【０００７】
すなわち、左右の側部フレームを、その前端側が上下方向へ相対揺動可能に連結することにより、肩当て具が取り付けられた左右の側部フレームの前端側を、前脚歩行するペットの左右の肩部の上下動に追随させて、ペットの肩部を拘束しないようにし、ペットが前脚歩行し易く、疲労しないようにした。
【０００８】
前記左右の側部フレームの前端側を上下方向へ相対揺動可能に連結する手段を、前記左右の側部フレームの後端側に、左右方向へ内向きのパイプ部を対向させて設け、これらのパイプ部を、パイプ部同士で直接、または、これらのパイプ部の間に介在させた中間パイプ部に、相対回転を許容するように嵌め合わせて連結したものとすることにより、簡単な構成で左右の側部フレームの前端側を相対揺動可能とすることができる。
【０００９】
前記左右の側部フレームを相対揺動可能に連結したパイプ部の連結部に、左右方向への伸縮量調節機構を設けることにより、ペットの横幅に合わせて、左右の側部フレームの間隔を調節することができる。
【００１０】
前記左右の側部フレームにパイプ部を設け、前記パイプ部に前後方向への伸縮量調節機構を設けることにより、ペットの胴長に合わせて、側部フレームの長さを調節することができる。
【００１１】
前記左右の車輪を、上下方向へ延びるパイプ部を有する車輪支持部材を介して前記左右の側部フレームに取り付け、前記パイプ部に上下方向への伸縮量調節機構を設けることにより、ペットの腰高さに合わせて、サドルの高さ位置を調節することができる。
【００１２】
前記伸縮量調節機構を、パイプ部同士を軸方向に伸縮可能に嵌め合わせた連結部を設け、その内側に嵌め合わせたパイプ部に、く字形に屈曲した板ばねの一端側に突起部を設けたばね突起部材を組み込んで、その突起部を前記内側のパイプ部に設けた通し孔から突出するようにばねで付勢し、外側に嵌め合わせたパイプ部に、前記ばね突起部材の突起部が係合する複数の係合孔を軸方向に間隔を開けて設け、これらの係合孔の１つに前記突起部を係合させて、前記嵌め合わせたパイプ部同士の伸縮量を調節するものとすることにより、ワンタッチで簡単に伸縮量を調節することができる。
【００１３】
前記左右の車輪を、前記サドルの前後中心位置よりも前方で取り付けることにより、ペットの前脚にかかる体重の負担を軽くすることができる。
【００１４】
前記左右の車輪を、上下方向へ延びるパイプ部を有する車輪支持部材を介して前記左右の側部フレームに取り付け、前記上下方向へ延びるパイプ部に、パイプ部同士を相対回転を許容するように嵌め合わせた連結部を設け、前記左右の車輪を水平面内で旋回可能とすることにより、左右の車輪を進行方向向きに旋回させ、スムーズに車輪を回転させることができる。
【発明の効果】
【００１５】
本発明のペット用車椅子は、左右の側部フレームを、その前端側が上下方向へ相対揺動可能に連結することにより、肩当て具が取り付けられた左右の側部フレームの前端側を、前脚歩行するペットの左右の肩部の上下動に追随させて、ペットの肩部を拘束しないようにしたので、ペットが前脚歩行し易く、疲労しないようにすることができる。
【００１６】
前記左右の側部フレームの前端側を上下方向へ相対揺動可能に連結する手段を、左右の側部フレームの後端側に、左右方向へ内向きのパイプ部を対向させて設け、これらのパイプ部を、パイプ部同士で直接、または、これらのパイプ部の間に介在させた中間パイプ部に、相対回転を許容するように嵌め合わせて連結したものとすることにより、簡単な構成で左右の側部フレームの前端側を相対揺動可能とすることができる。
【００１７】
前記左右の側部フレームを相対揺動可能に連結したパイプ部の連結部に、左右方向への伸縮量調節機構を設けることにより、ペットの横幅に合わせて、左右の側部フレームの間隔を調節することができる。
【００１８】
前記左右の側部フレームにパイプ部を設け、パイプ部に前後方向への伸縮量調節機構を設けることにより、ペットの胴長に合わせて、側部フレームの長さを調節することができる。
【００１９】
前記左右の車輪を、上下方向へ延びるパイプ部を有する車輪支持部材を介して左右の側部フレームに取り付け、パイプ部に上下方向への伸縮量調節機構を設けることにより、ペットの腰高さに合わせて、サドルの高さ位置を調節することができる。
【００２０】
前記伸縮量調節機構を、パイプ部同士を軸方向に伸縮可能に嵌め合わせた連結部を設け、その内側に嵌め合わせたパイプ部に、く字形に屈曲した板ばねの一端側に突起部を設けたばね突起部材を組み込んで、その突起部を内側のパイプ部に設けた通し孔から突出するようにばねで付勢し、外側に嵌め合わせたパイプ部に、ばね突起部材の突起部が係合する複数の係合孔を軸方向に間隔を開けて設け、これらの係合孔の１つに突起部を係合させて、嵌め合わせたパイプ部同士の伸縮量を調節するものとすることにより、ワンタッチで簡単に伸縮量を調節することができる。
【００２１】
前記左右の車輪を、サドルの前後中心位置よりも前方で取り付けることにより、ペットの前脚にかかる体重の負担を軽くすることができる。
【００２２】
前記左右の車輪を、上下方向へ延びるパイプ部を有する車輪支持部材を介して左右の側部フレームに取り付け、上下方向へ延びるパイプ部に、パイプ部同士を相対回転を許容するように嵌め合わせた連結部を設け、左右の車輪を水平面内で旋回可能とすることにより、左右の車輪を進行方向向きに旋回させ、スムーズに車輪を回転させることができる。
【発明を実施するための最良の形態】
【００２３】
以下、図面に基づき、この発明の実施形態を説明する。このペット用車椅子は、図１および図２に示すように、四足歩行のペットＡの両側に前後方向へ向けて配設される左右の側部フレーム１を有し、その前端側にペットＡの肩部に装着される肩当て具２を取り付け、その後端側に腰部を支持するサドル３、後脚を保持する一対の後脚保持具４および左右の車輪５を取り付けたものであり、下半身が付随となったペットＡを前脚のみで歩行させるようになっている。なお、サドル３と後脚保持具４はクッション材で形成され、内部に心材が通されている。
【００２４】
前記サドル３は、ペットＡの大腿部が嵌まり込むように８字形に形成され、締結バンド３ａで左右の側部フレーム１に取り付けられている。後脚保持具４はサドル３の後端側で左右の側部フレーム１から垂下された上向きコ字形の枠部材６に取り付けられ、枠部材６に設けられた取り付け孔６ａを選択することにより、取り付け高さを調節できるようになっている。また、左右の車輪５は、サドル３の前端側で車輪支持部材７を介して左右の側部フレーム１に取り付けられており、ペットＡの前脚にかかる体重の負担を軽くするようになっている。
【００２５】
図３に示すように、前記左右の側部フレーム１はパイプ部材で形成され、それぞれ後端側が左右方向で内向きに対向するように曲げられて、これらの対向する後端側パイプ部１ａが、間に介在する中間パイプ部１ｂとの嵌め合わせで連結されるようになっており、前端側の前端側パイプ部１ｃには、肩当て具２が取り付けられる前延長パイプ部１ｄが連結される。また、前記車輪支持部材７はパイプ部材でＴ字形に形成され、Ｔ字形の上辺が左右の側部フレーム１に二重に外嵌固定され、Ｔ字形の脚パイプ部７ａに嵌め合わせで連結される下延長パイプ部７ｂに左右の車輪５が取り付けられている。
【００２６】
図３および図４（ａ）に示すように、前記左右の側部フレーム１の後端側パイプ部１ａと中間パイプ部１ｂとの連結部、前端側パイプ部１ｃと前延長パイプ部１ｄとの連結部、および車輪支持部材７の脚パイプ部７ａと下延長パイプ部７ｂとの連結部は、いずれも内側に嵌め合わされる中間パイプ部１ｂ、前延長パイプ部１ｄおよび下延長パイプ部７ｂに、く字形に屈曲した板ばねの一端側に突起部８ａを設けたばね突起部材８が組み込まれ、その突起部８ａがこれらの内側の各パイプ部１ｂ、１ｄ、７ｂに設けられた通し孔９から突出するように板ばねで付勢されている。また、これらの連結部で外側に嵌め合わされる後端側パイプ部１ａ、前端側パイプ部１ｃおよび脚パイプ部７ａには、ばね突起部材８の突起部８ａが係合する複数の係合孔１０が軸方向に間隔を開けて設けられ、これらの係合孔１０の１つに突起部８ａを係合させることにより、各連結部での伸縮量が調節されるようになっている。なお、外側の各パイプ部１ａ、１ｃ、７ａと内側の各パイプ部１ｂ、１ｄ、７ｂは、それぞれねじ継手１１で連結される。
【００２７】
したがって、前記後端側パイプ部１ａと中間パイプ部１ｂとの連結部では左右方向への伸縮量が、前端側パイプ部１ｃと前延長パイプ部１ｄとの連結部では前後方向への伸縮量が、脚パイプ部７ａと下延長パイプ部７ｂとの連結部では上下方向への伸縮量が、それぞれペットＡのサイズに合わせて調節される。
【００２８】
また、図４（ｂ）に示すように、前記各連結部で係合孔１０に係合するばね突起部材８の突起部８ａは、外側の各パイプ部１ａ、１ｃ、７ａの軸方向と直交方向で各係合孔１０に隙間を開けて嵌まり込み、外側の各パイプ部１ａ、１ｃ、７ａと内側の各パイプ部１ｂ、１ｄ、７ｂとの相対回転を許容するようになっている。
【００２９】
したがって、図２に示したように、前記左右の側部フレーム１は、ペットＡの前脚歩行に伴う左右の肩部の上下運動に追随して、後端側パイプ部１ａと中間パイプ部１ｂとの連結部を中心に前端側が上下方向に相対揺動し、ペットＡの肩部を拘束することがない。また、左右の車輪５は、車輪支持部材７の脚パイプ部７ａと下延長パイプ部７ｂの連結部における相対回転の許容によって、水平面内で旋回可能とされ、進行方向向きに旋回してスムーズに回転する。
【００３０】
上述した実施形態では、左右の側部フレーム１の対向する後端側パイプ部を、間に介在させた中間パイプ部に嵌め合わせて、相対回転を許容するように連結したが、後端側パイプ部同士を直接嵌め合わせて、相対回転を許容するように連結することもできる。また、相対回転を許容するパイプ部の連結は、実施形態のような、係合孔と突起部の隙間で相対回転を許容するものに限定されることはない。なお、本発明に係るペット用車椅子は、ペットの訓練用等にも用いることができる。
【図面の簡単な説明】
【００３１】
【図１】ペット用車椅子の実施形態を示す外観斜視図
【図２】図１の側面図
【図３】図１のペット用車椅子のフレーム構造を示す分解斜視図
【図４】ａは図３のフレーム構造の各連結部を示す縦断面図、ｂはａのIVb−IVb線に沿った断面図
【符号の説明】
【００３２】
Ａ  ペット
１  側部フレーム
１ａ  後端側パイプ部
１ｂ  中間パイプ部
１ｃ  前端側パイプ部
１ｄ  前延長パイプ部
２  肩当て具
３  サドル
３ａ  締結バンド
４  後脚保持具
５  車輪
６  枠部材
６ａ  取り付け孔
７  車輪支持部材
７ａ  脚パイプ部
７ｂ  下延長パイプ部
８  ばね突起部材
８ａ  突起部
９  通し孔
１０  係合孔
１１  ねじ継手
【図１】
2008035708.tif 000003
【図２】
2008035708.tif 000004
【図３】
2008035708.tif 000005
【図４】
2008035708.tif 000006